(57)【要約】【課題】取り付け状態においては外れにくく、かつバンドの交換等を行う際には専用の工具等を用いずに簡易にバンドを着脱することのできるバンドの取付構造及び時計を提供する。【解決手段】バンド取付部１５を構成する脚部５にバンド取付孔５１及びバネ棒６を案内する案内溝５４を設け、バンド取付孔５１に挿通される取付補助部材７に案内溝５４に対応する補助溝７４を形成し、取付補助部材７をバンド取付孔５１の軸周りに回転させることで案内溝５４と補助溝７４とが連続する連結部材装着可能位置と、案内溝５４と補助溝７４とが不連続となる連結部材固定位置とを取り得るように構成した。【選択図】図２
2015116357.tif 000002
【特許請求の範囲】
【請求項１】
ケースにバンドを取り付けるバンドの取付構造であって、
対向する２つの脚部を有するバンド取付部と、
前記バンドにおける前記ケースへの取り付け側端部に設けられ前記バンドの幅方向に延在する連結部材と、
前記連結部材の少なくとも一方の端部に取り付けられる取付補助部材と、
を備え、
前記バンド取付部の前記脚部の対向する面には、それぞれバンド取付孔が穿設され、
前記バンド取付孔の少なくともいずれか一方は貫通孔であり、当該バンド取付孔には前記バンドの装着方向手前側から奥側に向かって延在する案内溝が連設されており、
前記取付補助部材は、前記案内溝に対応する補助溝を有し、貫通孔として形成されている前記バンド取付孔内に挿通され、前記バンド取付孔の軸周りに回転させることで前記案内溝と前記補助溝とが連続する連結部材装着可能位置と、前記案内溝と前記補助溝とが不連続となる連結部材固定位置とを取り得ることを特徴とするバンドの取付構造。
【請求項２】
前記取付補助部材には、前記バンド取付孔への挿入先端側に回転用操作部が設けられ、他端側に係止用のフランジ部が設けられており、
前記貫通孔として形成されている前記バンド取付孔は、前記フランジ部と嵌合可能な段部を有する段付き孔となっていることを特徴とする請求項１に記載のバンドの取付構造。
【請求項３】
前記フランジ部の端面には、補助部材側係止部が設けられ、
前記バンド取付孔の前記段部には、前記補助部材側係止部に係止される取付孔側係止部が設けられていることを特徴とする請求項２に記載のバンドの取付構造。
【請求項４】
前記補助部材側係止部は凹部又は凸部であり、
取付孔側係止部は、前記補助部材側係止部と嵌り合う形状の凹部又は凸部であることを特徴とする請求項３に記載のバンドの取付構造。
【請求項５】
前記バンド取付部における前記貫通孔として形成されている前記バンド取付孔の近傍には、前記取付補助部材の連結部材固定位置を示す指標が設けられていることを特徴とする請求項１から請求項４のいずれか一項に記載のバンドの取付構造。
【請求項６】
前記補助溝は、前記バンド取付孔の中心よりも奥側まで深く形成されていることを特徴とする請求項１から請求項５のいずれか一項に記載のバンドの取付構造。
【請求項７】
前記補助溝は、前記バンドの装着方向手前側から奥側に向かって下降するように傾斜を設けて形成されていることを特徴とする請求項１から請求項６のいずれか一項に記載のバンドの取付構造。
【請求項８】
請求項１から請求項７のいずれか一項に記載のバンドの取付構造と、
ケースと、
前記ケースに取り付けられるバンドと、
を備えることを特徴とする時計。
【発明の詳細な説明】
【技術分野】
【０００１】
本発明は、バンドの取付構造及び時計に関するものである。
【背景技術】
【０００２】
従来、時計等のケースにバンドを取り付ける構成として、バネ棒やビスを用いてバンドをケースに固定する構成が知られている。
例えば、特許文献１には、バネ棒によってバンドを時計ケースのバンド取付部に取り付ける構成が開示されている。
バネ棒によってバンドを時計ケースに取り付ける場合には、バンドの取付側に設けられているバネ棒を押し縮めて、バンド取付部に設けられた取付孔にバネ棒の両端部を挿入する。この場合、バネ棒はバネの反発力によって取付孔に固定され、ユーザが時計を使用している際に容易にバンドが外れないようにすることができる。
【先行技術文献】
【特許文献】
【０００３】
【特許文献１】特開２０１０−１１９５８６号公報
【発明の概要】
【発明が解決しようとする課題】
【０００４】
しかしながら、こうしたバネ棒やビスを用いてバンドを固定した場合には、バンドを着脱する際に専用の工具が必要となり、バンドを交換する際には専用の工具を購入するか、時計店等に時計を持ち込んでバンドの交換を依頼する必要がある。
このため、気軽にバンドを交換して、服装や季節等に応じたお洒落を楽しむといった使い方が難しく、時計をもっと自由に楽しみたいというユーザの要望に応えることができないという問題がある。
【０００５】
本発明は以上のような事情に鑑みてなされたものであり、取り付け状態においては外れにくく、かつバンドの交換等を行う際には専用の工具等を用いずに簡易にバンドを着脱することのできるバンドの取付構造及び時計を提供することを目的とするものである。
【課題を解決するための手段】
【０００６】
前記課題を解決するために、本発明に係るバンドの取付構造は、
ケースにバンドを取り付けるバンドの取付構造であって、
対向する２つの脚部を有するバンド取付部と、
前記バンドにおける前記ケースへの取り付け側端部に設けられ前記バンドの幅方向に延在する連結部材と、
前記連結部材の少なくとも一方の端部に取り付けられる取付補助部材と、
を備え、
前記バンド取付部の前記脚部の対向する面には、それぞれバンド取付孔が穿設され、
前記バンド取付孔の少なくともいずれか一方は貫通孔であり、当該バンド取付孔には前記バンドの装着方向手前側から奥側に向かって延在する案内溝が連設されており、
前記取付補助部材は、前記案内溝に対応する補助溝を有し、貫通孔として形成されている前記バンド取付孔内に挿通され、前記バンド取付孔の軸周りに回転させることで前記案内溝と前記補助溝とが連続する連結部材装着可能位置と、前記案内溝と前記補助溝とが不連続となる連結部材固定位置とを取り得ることを特徴としている。
【０００７】
また、本発明に係る時計は、
請求項１から請求項７のいずれか一項に記載のバンドの取付構造と、
ケースと、
前記ケースに取り付けられるバンドと、
を備えることを特徴としている。
【発明の効果】
【０００８】
本発明によれば、取り付け状態においては外れにくく、かつバンドの交換等を行う際には専用の工具等を用いずに簡易にバンドを着脱することができるという効果を奏する。
【図面の簡単な説明】
【０００９】
【図１】本実施形態におけるバンドの取付構造を適用した時計の正面図である。
【図２】本実施形態における時計におけるバンド取付部及びその周辺を拡大した分解斜視図である。
【図３】本実施形態における脚部及び取付補助部材を示す斜視図である。
【図４】本実施形態における脚部に取付補助部材及びバネ棒を取り付けた状態を示す斜視図である。
【図５】図４に示す取付補助部材を回転させてバネ棒を固定した状態を示す斜視図である。
【図６】本実施形態のバンドの取付構造により時計ケースにバンドが取り付けられた状態を示す斜視図である。
【図７】回転用操作部の一変形例を適用した場合のバンド取付部及びその周辺を拡大した斜視図である。
【図８】（ａ）は、回転用操作部の一変形例及びこれに取り付けられる操作補助部材を示す分解斜視図であり、（ｂ）は、（ａ）の操作補助部材及びバネ棒を取り付けた状態を示す斜視図であり、（ｃ）は、（ｂ）の操作補助部材を回転させてバネ棒を固定した状態を示す斜視図である。
【図９】（ａ）は、本実施形態の補助溝を示す平面図であり、（ｂ）及び（ｃ）は、補助溝の一変形例を示す平面図である。
【発明を実施するための形態】
【００１０】
図１から図６を参照しつつ、本発明に係るバンドの取付構造及び時計の一実施形態について説明する。なお、以下に述べる実施形態には、本発明を実施するために技術的に好ましい種々の限定が付されているが、本発明の範囲を以下の実施形態及び図示例に限定するものではない。
【００１１】
図１は、本実施形態におけるバンドの取付構造が適用された時計の正面図である。
図１に示すように、時計１００は、時計ケース１０を備える時計本体１とこの時計ケース１０に取り付けられるバンド２とを備えている。
【００１２】
図２は、本実施形態の時計ケース１０とバンド２の取り付け部分を拡大した要部分解斜視図である。
図２に示すように、バンド２の時計ケース１０への取り付け側端部は、ケース取付部２１となっている。
ケース取付部２１は、後述する時計ケース１０側の一対の脚部の間に嵌る形状となっている。
ケース取付部２１には、バンド２の幅方向に貫通する貫通孔２２が設けられており、貫通孔２２には、バンドの幅方向に延在してバネ棒６が挿通されている。
【００１３】
時計本体１は、時計ケース１０と、指針１３ａや液晶パネル等を備える表示部１３と、時計ケース１０内に収容され指針１３ａ等を動作させる時計モジュール（図示せず）等を備えている。
なお、本実施形態では指針１３ａとして時針と分針を備える場合を例示しているが、指針１３ａはこれに限定されない。また、表示部１３の構成は図示例に限定されず、指針１３ａのみで構成されるアナログ方式でもよいし、液晶パネルで構成されるデジタル方式でもよい。
また、時計本体１の側面には、各種操作を行うための操作ボタン１４が設けられている。
【００１４】
本実施形態の時計ケース１０は、ケース本体１１と、このケース本体１１に被せられる外装部材１２とで構成されている。
外装部材１２の外側部であって、ケース本体１１に取り付けられた操作ボタン１４に対応する位置には、操作ボタン１４を衝撃等から保護するボタンカバー１４ａが形成されている。
【００１５】
ケース本体１１及び外装部材１２は、例えばポリアリレート樹脂やＡＢＳ樹脂等で形成されている。
なお、ケース本体１１及び外装部材１２を形成する材料は、ここに例示したものに限定されない。例えば、ケース本体１１をステンレスやチタン等の金属材料で形成し、これに樹脂等で形成された外装部材１２を被せてもよい。
また、時計ケース１０をケース本体１１と外装部材１２とで構成することは必須ではなく、例えば金属材料や樹脂材料等により一体的に構成してもよい。
【００１６】
時計ケース１０の上下（図１において上下、時計の６時側と１２時側）には、それぞれバンド２を取り付けるバンド取付部１５が設けられている。
ケース本体１１側のバンド取付部１５には、それぞれ２つの脚部５が対向するように設けられている。
バンド取付部１５の脚部５の対向する面には、それぞれバンド取付孔５１が穿設されている。バンド取付孔５１には、後述するように、取付補助部材７の軸部７１が挿入される。
本実施形態では、バンド取付孔５１はいずれも貫通孔となっている。
【００１７】
外装部材１２側のバンド取付部１５（図６においてバンド取付部１５ａ）は、ケース本体１１側の２つの脚部５を上方から覆うように設けられており、バンド取付孔５１に対応する位置に、バンド取付孔１２１が形成されている。
このバンド取付孔１２１の近傍には、後述する取付補助部材７の連結部材固定位置を示す指標１２２が設けられている。
本実施形態では、指標１２２は、後述する取付補助部材７の溝状の回転用操作部７３の両側に配置される凹部である。
なお、指標１２２の位置や形状等は図示例には限定されない。例えばバネ棒６が固定状態であることを示す文字や連結部材固定位置を示す矢印等の印刷や刻印等であってもよい。
【００１８】
これらバンド取付孔５１にはバンド２の装着方向手前側から奥側（図２において一点鎖線の矢印で示す方向）に向かって延在する案内溝５４が連設されている。
案内溝５４は、バネ棒６をバンド取付部１５に装着する際にバネ棒６を所定の装着位置（本実施形態では、取付補助部材７の補助溝７４内）まで案内するものであり、脚部５の対向する面に、バンド２の装着方向手前側からバンド取付孔５１の開口部まで形成されている。
【００１９】
案内溝５４は、バンド２の装着方向手前側が奥側よりも深く、幅方向に広がる傾斜面となっていることが好ましい。このように、案内溝５４におけるバンド２の装着方向手前側に傾斜を設けることにより、バネ棒６を装着する際には、バネ棒６の端部を案内溝５４内に円滑に挿入でき、バネ棒６を案内溝５４の奥側に押し込むにしたがって案内溝５４の壁によりバネ棒６が押し縮められ、外側に押し広げようとするバネの反力を保ったまま所定の装着位置（本実施形態では、取付補助部材７の補助溝７４内）に嵌め込むことができる。
【００２０】
図３は、バンド取付部１５の脚部５及びその周辺を拡大した要部拡大斜視図である。
図３に示すように、本実施形態では、バンド取付孔５１は、後述する取付補助部材７のフランジ部７２と嵌合可能な段部５２を有する段付き孔となっている。
この段部５２には、補助部材側係止部７５に係止される取付孔側係止部５３が設けられている。
本実施形態の取付孔側係止部５３は、補助部材側係止部７５と嵌り合う形状の凹凸部となっている。
なお、取付孔側係止部５３及び補助部材側係止部７５とは、凹凸部に限定されない。フランジ部７２が段部５２に突き当てられた際に滑り止めとなるものであればよく、例えば、取付孔側係止部５３及び補助部材側係止部７５のいずれか一方が凸部であり、いずれか他方がこの凸部を受ける凹部であってもよい。また、取付孔側係止部５３及び補助部材側係止部７５をざらつきのある面としてもよいし、ゴム等の滑りにくい材料を貼り付ける等してもよい。
【００２１】
また、バンド取付部１５には、取付補助部材７が設けられている。
取付補助部材７は、例えば、ＰＯＭ（すなわち、ポリアセタール（polyacetal）又はポリオキシメチレン（polyoxymethylene））や、ＡＢＳ樹脂、ポリカーボネート等の硬質プラスチック、アルミニウム等で形成されている。なお、取付補助部材７を形成する材料は、ある程度硬質で割れにくい材料であればよく、ここに例示したものに限定されない。
【００２２】
取付補助部材７は、貫通孔として形成されているバンド取付孔５１内に挿通される軸部７１と、軸部７１におけるバンド取付孔５１への挿入先端側に設けられた回転用操作部７３と、軸部７１の他端側に設けられ軸部７１の径よりも大きな径を有する係止用のフランジ部７２とを備えている。
図２等に示すように、本実施形態において、回転用操作部７３は、例えばマイナスドライバ等を係止することが可能な溝部である。
【００２３】
取付補助部材７は、バンド取付孔５１内に挿入した際、軸部７１はバンド取付孔５１を貫通し、フランジ部７２が段部５２に係止されることで位置決めされるようになっている。
取付補助部材７は、バンド取付孔５１内に位置決めされた状態において、フランジ部７２側の端面が脚部５の端面とほぼ面一となるようになっている。
【００２４】
取付補助部材７のフランジ部７２には、脚部５の案内溝５４に対応する補助溝７４が形成されている。
取付補助部材７は、バンド取付孔５１の軸周りに回転させることで案内溝５４と補助溝７４とが連続する連結部材装着可能位置と、案内溝５４と補助溝７４とが不連続となる連結部材固定位置とを取り得るようになっている。
【００２５】
また、フランジ部７２の端面であってバンド取付孔５１の段部５２と対向する面には、取付孔側係止部５３と嵌り合う補助部材側係止部７５が設けられている。取付孔側係止部５３と補助部材側係止部７５とが嵌り合うことにより、取付補助部材７がバンド取付孔５１内において、軸周りに自由に回転することが規制される。
さらに、上述のように、補助部材側係止部７５は、取付孔側係止部５３と嵌り合う凹凸部であり、フランジ部７２の端面が段部５２に押し当てられた状態で取付補助部材７をバンド取付孔５１の軸周りに回転させることにより、補助部材側係止部７５が取付孔側係止部５３の凹凸を乗り越える際に「カチカチ」というクリック感が得られるようになっている。
【００２６】
本実施形態では、対向する面にそれぞれバンド取付孔５１が穿設された２つの脚部５を有するバンド取付部１５と、バンド２における時計ケース１０への取り付け側端部に設けられたバネ棒６と、バネ棒６の端部に取り付けられる取付補助部材７と、でバンドの取付構造が構成されている。
【００２７】
次に、図３から図６を参照しつつ、本実施形態におけるバンドの取付構造及び時計の作用について説明する。
なお、図３から図５では、バンド取付部１５の細部を図示する都合上、外装部材１２の図示を省略している。また、図４及び図５では、バンド２の図示を省略している。
【００２８】
時計１００を組み立てる際には、まず、ケース本体１１の上に外装部材１２を被せて時計ケース１０を一体化させる。その後、図３に示すように、ケース本体１１の各脚部５のバンド取付孔５１にそれぞれ取付補助部材７の軸部７１を、一対の脚部５の対向する側から外側に向かって挿入する。
このとき、取付補助部材７のフランジ部７２が脚部５のバンド取付孔５１の段部５２に突き当たる位置まで取付補助部材７を挿入する。これにより、図４に示すように、脚部５の対向する側の端面と取付補助部材７のフランジ部７２の端面とがほぼ面一となり、取付補助部材７の軸部７１の先端部がバンド取付孔５１から外部に露出した状態となる。
【００２９】
バンド２を時計ケース１０に取り付ける際には、バンド２のケース取付部２１の貫通孔２２にバネ棒６を挿通させる。また、取付補助部材７の補助溝７４の向きを脚部５の案内溝５４の向きと合わせ、案内溝５４と補助溝７４とが連続した連結部材装着可能位置となるように調整する。
この状態で、バンド２のケース取付部２１を時計ケース１０の一対の脚部５の間に嵌め込む。このとき、バネ棒６の両端部を案内溝５４及び補助溝７４に嵌め込み、図４に示すように、溝に沿って奥側にスライド移動させる。バネ棒６は、案内溝５４及び補助溝７４の壁面に押されて押し縮められながら補助溝７４の最奥に達するまで溝の中を摺動する。
バネ棒６は、バネの反力により案内溝５４及び補助溝７４の壁面を押圧しており、このバネの反力により、取付補助部材７のフランジ部７２はバンド取付孔５１の段部５２に押し付けられた状態となる。これにより、バンド取付孔５１の段部５２に形成されている取付孔側係止部５３と取付補助部材７のフランジ部に設けられている補助部材側係止部７５とが互いに嵌り合い、取付補助部材７がバンド取付孔５１内において、軸周りに自由に回転することが規制される。
【００３０】
バンド２を時計ケース１０に固定する際には、取付補助部材７の回転用操作部７３を指先又は図示しないマイナスドライバ等を用いて、図５に矢印で示すように、バンド取付孔５１の軸周りに回転させる。具体的には、マイナスドライバの先端部や爪等を回転用操作部７３の溝部に差し込み、係止させて、取付孔側係止部５３と補助部材側係止部７５との間の摩擦力に抗して取付補助部材７を回転させる。このとき、補助部材側係止部７５が取付孔側係止部５３の凹凸を乗り越えることにより適度なクリック感が得られる。
取付補助部材７を１８０度回転させ、図６に示すように、回転用操作部７３の溝部分をバンド取付孔１２１の近傍に設けられた指標１２２の位置と合わせると、フランジ部７２に形成されている補助溝７４の向きが反転し、案内溝５４と補助溝７４とが不連続となる連結部材固定位置となる（図５参照）。これにより、バネ棒６が外れずバンド２が時計ケース１０に固定された状態となる。また、バネ棒６のバネの押圧力により、補助部材側係止部７５が取付孔側係止部５３と嵌り合い、取付補助部材７の自由な回転が規制されるため、バンド２の固定状態が維持される。
【００３１】
また、バンド２を時計ケース１０から外す場合には、取付補助部材７をさらに１８０度回転させて、取付補助部材７の補助溝７４の向きを脚部５の案内溝５４と合わせ、案内溝５４と補助溝７４とが連続した連結部材装着可能位置とする。これにより、バンド２を時計ケース１０から取り外すことのできる状態となる。
【００３２】
以上のように、本実施形態によれば、バンド取付部１５の脚部５にバンド取付孔５１と案内溝５４とを設け、案内溝５４に対応する補助溝７４を有する取付補助部材７をバンド取付孔５１内に挿通させる。そして、取付補助部材７を、案内溝５４と補助溝７４とが連続する連結部材装着可能位置に調整した上で、バンド２における時計ケース１０への取り付け側端部に設けられたバネ棒６を、案内溝５４及び補助溝７４に沿って装着方向手前側から奥側に向かって嵌め入れる。そして、バネ棒６を奥までスライドさせた後に取付補助部材７をバンド取付孔５１の軸周りに回転させることにより、案内溝５４と補助溝７４とが不連続となる連結部材固定位置とする。
これにより、特別な工具等を使用したり、難しい操作を行うことなく、取付補助部材７の回転用操作部７３にドライバや爪等を係止させて取付補助部材７を軸周りに回転させるだけで簡易にバンド２を時計ケース１０に固定することができる。連結部材固定位置となっているときにはバンド２を外すことのできない状態が維持される。
また、バンド２を交換する場合も、取付補助部材７を軸周りに回転させて案内溝５４と補助溝７４とを連続させるだけで、バンド２を時計ケース１０から簡易に取り外すことができる。
また、取付補助部材７のバンド取付孔５１への挿入先端側に溝状の回転用操作部７３が設けられているため、ドライバ等の身近な工具や爪等を回転用操作部７３に係止しやすく、容易に取付補助部材７を回転させて、バンド２の着脱を簡易に行うことができる。
バンド取付孔５１は、フランジ部７２と嵌合可能な段部５２を有する段付き孔となっているため、取付補助部材７を貫通孔であるバンド取付孔５１に挿入したときに逆側から取付補助部材７が抜け落ちるのを防止することができる。
また、フランジ部７２の端面には、補助部材側係止部７５が設けられ、バンド取付孔５１の段部５２には、補助部材側係止部７５に係止される取付孔側係止部５３が設けられている。これにより、回転用操作部７３を操作して取付補助部材７を回転させた後、取付補助部材７が自由に回転することを防止でき、時計１００の装着中に取付補助部材７が緩んでバンド２が外れるのを防ぐことができる。
本実施形態で、補助部材側係止部７５は凹部又は凸部であり、取付孔側係止部５３は、補助部材側係止部７５と嵌り合う形状の凹部又は凸部である。このため、確実に取付補助部材７が自由に回転することを防止でき、装着中に取付補助部材７が緩んでバンド２が外れるのを防ぐことができる。また、取付補助部材７を回転させると、取付孔側係止部５３及び補助部材側係止部７５の凹部又は凸部が互いに嵌り合うことで「カチカチ」とクリック感を得ることができる。これにより、回転操作を行うユーザにとって取付補助部材７を回転させている感覚が直感的に伝わり、操作が分かりやすい。
バンド取付部１５におけるバンド取付孔５１の近傍に、取付補助部材７の連結部材固定位置を示す指標１２２が設けられている。これにより、取付補助部材７をどこまで回転させればバネ棒６が固定されるのかが分かりやすく、バンド２の固定を容易に行うことができる。
【００３３】
なお、以上本発明の実施形態について説明したが、本発明は、かかる実施形態に限定されず、その要旨を逸脱しない範囲で、種々変形が可能であることは言うまでもない。
【００３４】
例えば、本実施形態では、回転用操作部７３がマイナスドライバ等を係止可能な溝状に形成されている場合を例示したが、回転用操作部の形状はこれに限定されない。
例えば、図７に示すように、回転用操作部を指先等で直接摘むことが可能な凸状の摘み部７６としてもよい。なお、摘み部７６の形状等は図示例に限定されない。
また、回転用操作部として軸周りにローレット加工等を施した部分を形成しこれを指先等で直接回転させることができる構成としてもよい。
このように、回転用操作部を直接回転操作可能な形状、構成とした場合には、何ら工具等を用いなくても取付補助部材７の回転操作を行うことが可能となり、構成をより簡易にすることができる。
【００３５】
また、本実施形態では、溝状の回転用操作部７３にドライバや爪等を係止して取付補助部材７を回転させる場合を例示したが、回転用操作部７３を回転させる構成はこれに限定されない。
【００３６】
例えば、図８（ａ）から図８（ｃ）に示すように、取付補助部材７の軸部７１の先端側に、軸部７１の径方向に撓み変形可能なスリット部７８と爪部７９とを有する回転用操作部７７を備えてもよい。なお、図８（ａ）から図８（ｃ）では外装部材１２及びバンド２の図示を省略している。
この場合、図８（ａ）に示すように、操作レバー９１と操作部嵌込孔９２とを備える操作補助部材９を回転用操作部７７に取り付けて取付補助部材７の回転操作を行う。
回転用操作部７７を操作補助部材９の操作部嵌込孔９２に挿入すると、スリット部７８が撓んで回転用操作部７７が軸部７１の径方向に押し縮められる。操作部嵌込孔９２内には回転用操作部７７の爪部７９が係止される爪係止部９３が形成されており、爪部７９が爪係止部９３に嵌ることで操作補助部材９が取付補助部材７に固定される。
この状態で、図８（ｂ）に示すように、バンド２に取り付けられたバネ棒６を案内溝５４及び補助溝７４にそって奥まで押し込む。そして、図８（ｃ）に示すように、操作補助部材９の操作レバー９１を１８０度反転させることにより、案内溝５４と補助溝７４とが不連続のバンド固定位置となり、バンド２が時計ケース１０に固定される。
これによれば、回転操作する部分を比較的大きくすることができ、回転操作しやすい構成となる。また、操作レバー９１の方向によって取付補助部材７がバンド固定位置にあるか否かが分かりやすく、バンド固定位置を示す指標１２２を設ける必要がない。
【００３７】
なお、図８（ａ）から図８（ｃ）に示す操作補助部材９は、バンド交換の際等にユーザにおいて適宜着脱可能なものであってもよいし、操作補助部材９を装着したまま、時計１００を使用するものであってもよい。
また、回転用操作部７７及び操作補助部材９の形状、構成等は図示例に限定されず、適宜変形が可能である。
【００３８】
また、本実施形態では、図９（ａ）に示すように、取付補助部材７の補助溝７４がバンド取付孔５１の中心に対応する位置までほぼ水平方向に形成されている場合を例示したが、補助溝７４の形状はこれに限定されない。
例えば、図９（ｂ）に示すように、取付補助部材７の補助溝７４１は、バンド取付孔５１の中心に対応する位置よりもバネ棒６の装着方向の奥側まで深く形成されていてもよい。
補助溝７４１をこのような形状とすることにより、取付補助部材７を連結部材固定位置まで回転させた場合にバネ棒６が外れにくくなる。また、水平方向の遊びが多くなるため、時計１００を装着している際に腕がむくんだりした場合に、腕の太さに応じて多少バンド長を変化させることができ、より装着感が向上する。
また、例えば、図９（ｃ）に示すように、取付補助部材７の補助溝７４２は、バンド２の装着方向手前側から奥側に向かって下降するように傾斜を設けて形成されていてもよい。
補助溝７４２をこのような形状とすることにより、バンド２の着脱時において、バネ棒６を補助溝７４２内に引き込みやすくなり、バネ棒６の嵌め込みが容易となる。
また、バネ棒６を固定するために取付補助部材７を回転させた際、補助溝７４２の形状に沿ってバネ棒６が上方向に引き上げられることにより、バネ棒６が取り付けられているバンド２自体を上方、すなわち、時計ケース１０の外装部材１２側に押し付けることができ、時計ケース１０とバンド２との一体感を高めることができる。
【００３９】
また、本実施形態では、対向する一対の脚部５の両方に貫通孔としてのバンド取付孔５１が穿設され、このバンド取付孔５１の双方に取付補助部材７が設けられて、取付補助部材７がバネ棒６の両方の端部に取り付けられる場合を例示したが、貫通孔としてのバンド取付孔５１は一対の脚部５の双方に設けられている必要はなく、一方のバンド取付孔５１は貫通していない凹部としてもよい。
この場合には、案内溝５４及び取付補助部材７は、貫通孔であるバンド取付孔５１の側のみに設けられ、バネ棒６の一方側の端部のみが取付補助部材７の補助溝７４に嵌め込まれる。
このように、案内溝５４及び取付補助部材７を脚部５の一方のみに設けるとした場合でも、バンド２を着脱する際に、バネ棒６の一端部を凹部であるバンド取付孔５１にはめ込んだ後、バネ棒６を斜めにしながら他方のバンド取付孔５１に設けられている案内溝５４を介して取付補助部材７に係止させることにより、バンド２の着脱を行うことが可能である。
案内溝５４及び取付補助部材７を脚部５の一方のみに設ける場合には、部品点数を少なくすることができる。
【００４０】
また、本実施形態では、バネ棒６を固定する場合に、取付補助部材７を１８０度回転させて、案内溝５４と補助溝７４とが完全に逆向きとなるようにする場合を例示したが、取付補助部材７を回転させる回転量はこれに限定されない。
取付補助部材７は、バンド取付孔５１の軸周りに回転させることで案内溝５４と補助溝７４とが連続する連結部材装着可能位置と、案内溝５４と補助溝７４とが不連続となる連結部材固定位置とを取り得るものであればよく、例えば、取付補助部材７を９０度回転させて案内溝５４と補助溝７４とが直交する位置を連結部材固定位置としてもよい。
【００４１】
また、本実施形態では、フランジ部７２の端面に補助部材側係止部７５を設け、バンド取付孔５１の段部５２に取付孔側係止部５３を設けて、補助部材側係止部７５と取付孔側係止部５３とを噛み合わせることにより取付補助部材７の自由な回転を規制する構成としたが、取付補助部材７の自由な回転を規制する構成はこれに限定されない。
例えば、脚部５の外側面等に、取付補助部材７の回転用操作部７３又は回転用操作部に係止される操作補助部材（例えば、図８（ａ）から図８（ｃ）に示す操作補助部材９）を係止する爪部を設ける等、ロック機構を備える構成としてもよい。この場合には、補助部材側係止部７５および取付孔側係止部５３を設ける必要がない。
【００４２】
また、本実施形態では、バンド２とバンド取付部１５とを連結するための連結部材として、バネ棒６を用いた場合について述べたが、必ずしもバネ棒６である必要はなく、圧縮変形可能な単なる棒であってもよい。
また、本実施形態では、時計１００として腕時計を例示したが、腕時計でなく、懐中時計や、キーホルダ等で鞄等に着脱可能に構成された時計等でもよい。
【００４３】
また、上記各実施形態では、バンドの取付構造が時計に適用された場合を例示したが、バンドの取付構造は時計に適用される場合に限定されない。
例えば、歩数計や心拍数計、高度計、気圧計等のケースにバンドを取り付ける場合に、本発明のバンドの取付構造を適用してもよい。
【００４４】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ケースにバンドを取り付けるバンドの取付構造であって、
対向する２つの脚部を有するバンド取付部と、
前記バンドにおける前記ケースへの取り付け側端部に設けられ前記バンドの幅方向に延在する連結部材と、
前記連結部材の少なくとも一方の端部に取り付けられる取付補助部材と、
を備え、
前記バンド取付部の前記脚部の対向する面には、それぞれバンド取付孔が穿設され、
前記バンド取付孔の少なくともいずれか一方は貫通孔であり、当該バンド取付孔には前記バンドの装着方向手前側から奥側に向かって延在する案内溝が連設されており、
前記取付補助部材は、前記案内溝に対応する補助溝を有し、貫通孔として形成されている前記バンド取付孔内に挿通され、前記バンド取付孔の軸周りに回転させることで前記案内溝と前記補助溝とが連続する連結部材装着可能位置と、前記案内溝と前記補助溝とが不連続となる連結部材固定位置とを取り得ることを特徴とするバンドの取付構造。
＜請求項２＞
前記取付補助部材には、前記バンド取付孔への挿入先端側に回転用操作部が設けられ、他端側に係止用のフランジ部が設けられており、
前記貫通孔として形成されている前記バンド取付孔は、前記フランジ部と嵌合可能な段部を有する段付き孔となっていることを特徴とする請求項１に記載のバンドの取付構造。
＜請求項３＞
前記フランジ部の端面には、補助部材側係止部が設けられ、
前記バンド取付孔の前記段部には、前記補助部材側係止部に係止される取付孔側係止部が設けられていることを特徴とする請求項２に記載のバンドの取付構造。
＜請求項４＞
前記補助部材側係止部は凹部又は凸部であり、
取付孔側係止部は、前記補助部材側係止部と嵌り合う形状の凹部又は凸部であることを特徴とする請求項３に記載のバンドの取付構造。
＜請求項５＞
前記バンド取付部における前記貫通孔として形成されている前記バンド取付孔の近傍には、前記取付補助部材の連結部材固定位置を示す指標が設けられていることを特徴とする請求項１から請求項４のいずれか一項に記載のバンドの取付構造。
＜請求項６＞
前記補助溝は、前記バンド取付孔の中心よりも奥側まで深く形成されていることを特徴とする請求項１から請求項５のいずれか一項に記載のバンドの取付構造。
＜請求項７＞
前記補助溝は、前記バンドの装着方向手前側から奥側に向かって下降するように傾斜を設けて形成されていることを特徴とする請求項１から請求項６のいずれか一項に記載のバンドの取付構造。
＜請求項８＞
請求項１から請求項７のいずれか一項に記載のバンドの取付構造と、
ケースと、
前記ケースに取り付けられるバンドと、
を備えることを特徴とする時計。
【符号の説明】
【００４５】
１      時計本体
２      バンド
５      脚部
６      バネ棒
７      取付補助部材
９      操作補助部材
１０    時計ケース
１１    ケース本体
１２    外装部材
１５    バンド取付部
２１    ケース取付部
５１    バンド取付孔
５２    段部
５３    取付孔側係止部
５４    案内溝
７１    軸部
７２    フランジ部
７３    回転用操作部
７４    補助溝
７５    補助部材側係止部
１００  時計
【図１】
2015116357.tif 000003
【図２】
2015116357.tif 000004
【図３】
2015116357.tif 000005
【図４】
2015116357.tif 000006
【図５】
2015116357.tif 000007
【図６】
2015116357.tif 000008
【図７】
2015116357.tif 000009
【図８】
2015116357.tif 000010
【図９】
2015116357.tif 000011